(57)【特許請求の範囲】
【請求項１】
被写体光が結像されるスクリーンと、
前記スクリーン近傍に配置され、且つ光を拡散する拡散状態と光を透過する透過状態とを切り替える液晶層を封入した複数の表示セグメントを有する表示パネルと、
前記表示パネルの複数の表示セグメントのうちの少なくとも１つの表示セグメントを選択する選択部と、
前記選択部により選択された表示セグメントを、前記拡散状態にするとともに、選択されていない領域を前記透過状態に駆動する駆動回路と、
前記被写体光を測光する測光素子と、
前記測光素子の出力に基づいて、前記スクリーン上の輝度を算出する輝度算出部と、
前記輝度算出部により算出された前記スクリーン上の輝度が所定値以下であるときに、前記表示パネルを照明する照明部と、
前記液晶層又はその近傍の温度を、前記測光素子を用いて検出する温度検出部と、
前記温度検出部により検出された検出温度に基づいて、前記選択部が操作された後から前記照明部が照明を開始するまでの遅延時間、及び／又は、前記照明部が発光を開始してから終了するまでの発光時間を制御する照明制御部と、を含み、
前記選択部によって、前記複数の表示セグメントのうちの所定の選択セグメントから他の選択セグメントへの切替操作がなされた場合に、前記照明制御部は、前記遅延時間を、前記検出温度における前記他の選択セグメントが透過状態から拡散状態に切り替わるまでの時間よりも短く設定することを特徴とする液晶表示照明装置。
【請求項２】
請求項１に記載の液晶表示照明装置において、
前記選択部によって、前記複数の表示セグメントのうちの所定の選択セグメントから他の選択セグメントへの切替操作がなされた場合に、前記照明制御部は、前記遅延時間を、前記検出温度における前記所定の選択セグメントが前記拡散状態から前記透過状態に切り替わるまでの時間よりも長く設定することを特徴とする液晶表示照明装置。
【請求項３】
請求項１又は２に記載の液晶表示照明装置において、
前記測光素子は絶対温度比例電圧を検出し、
前記温度検出部は、前記絶対温度比例電圧を用いた所定演算式によって前記検出温度を算出することを特徴とする液晶表示照明装置。
【請求項４】
請求項１に記載の液晶表示照明装置において、
前記照明制御部は、前記発光時間を、前記表示パネルの表示セグメントが前記透過状態から前記拡散状態に切り替わる時間の間又はそれより長い時間に、設定したこと、を特徴とする液晶表示照明装置。
【請求項５】
請求項１に記載の液晶表示照明装置において、
前記照明部は、光を発生する光源と、
前記光源からの光を前記表示パネルに導く光ガイド部と、
を備えたことを特徴とする液晶表示照明装置。
【請求項６】
請求項１から５のうちの何れか一項に記載の液晶表示照明装置を備え、
前記液晶表示照明装置を、ファインダー装置の表示に使用することを特徴とするカメラ。
【発明の詳細な説明】
【０００１】
【発明の属する技術分野】
本発明は、光学的な像の上に必要な情報を重ね合わせて表示させることのできる透過型の液晶パネルを照明する液晶表示照明装置に関し、特に、カメラのファインダ装置のスーパーインポーズ表示等に好適に使用できる液晶表示照明装置、およびそれを備えたカメラに関するものである。
【０００２】
【従来の技術】
液晶パネルは、光学的な像の上に必要な情報を重ね合わせて表示させることのできる透過型の表示装置であり、例えば、高分子分散型液晶を用いたものがカメラのファインダ装置に用いられている。この液晶パネルは、２枚の透明電極付き透明基板間に、高分子分散型液晶を封入した液晶層を有する複数の表示セグメントからなるパネルである。この高分子分散型液晶は、その液晶層にかける電界を制御することによって、光を透過する透過状態と、光を拡散する拡散状態の２つのモードを使い分けて表示するものである。
【０００３】
この液晶パネルを駆動すると、電界をかけた表示セグメントは、光を透過させ、電界をかけていない表示セグメントは、光を拡散（散乱）させる。これにより、外景などの光学的な像が明るいときには、表示セグメントが暗く見え、一方、像が暗いときには、液晶層を照明することによって、表示セグメントが明るく見えるようにすることができる。
【０００４】
【発明が解決しようとする課題】
ところが、この高分子分散型液晶は、低温になるほど応答が遅くなるために、照明を単純に行うだけでは、表示セグメントの点灯と照明のタイミングが一致しないという問題点が発生する。
【０００５】
例えば、高分子分散型液晶は、２５℃の常温では、拡散状態から透過状態に変化するのに要する時間が約１０ｍｓｅｃであり、透過状態から拡散状態に変化するのに要する時間が約６０ｍｓｅｃであって、ほとんど瞬時である。しかし、−１０℃の低温では、拡散状態から透過状態に変化するのに要する時間が約３００ｍｓｅｃ、透過状態から拡散状態に変化するのに要する時間が約１４００ｍｓｅｃとなって非常に応答が遅くなる。
【０００６】
したがって、複数のセグメントの１つをセレクタによって選択するような場合には、低温では液晶の応答が遅いために、照明のタイミングをセレクタ操作に連動させると、選択セグメントが拡散状態に変化する前に、照明が終了することになってしまう。さらに、その前に選択されていたセグメントを照明することにもなってしまい、選択セグメントが正しく照明されないという問題があり、この問題は現状では解決されるに至っていない。
【０００７】
本発明の目的は、上述した課題を解決して、温度変化があった場合であっても、選択されたセグメントを適切に照明することができる液晶表示照明装置、およびそれを備えたカメラを提供することである。
【０００８】
【課題を解決するための手段】
請求項１の発明は、被写体光が結像されるスクリーン（４）と、前記スクリーン近傍に配置され、且つ光を拡散する拡散状態と光を透過する透過状態とを切り替える液晶層を封入した複数の表示セグメントを有する表示パネル（１０）と、前記表示パネルの複数の表示セグメントのうちの少なくとも１つの表示セグメントを選択する選択部（５０）と、前記選択部により選択された表示セグメントを、前記拡散状態にするとともに、選択されていない領域を前記透過状態に駆動する駆動回路（７）と、前記被写体光を測光する測光素子（９）と、前記測光素子の出力に基づいて、前記スクリーン上の輝度を算出する輝度算出部（８）と、前記輝度算出部により算出された前記スクリーン上の輝度が所定値以下であるときに、前記表示パネルを照明する照明部（３０，４０）と、前記液晶層又はその近傍の温度を、前記測光素子を用いて検出する温度検出部（８）と、前記温度検出部により検出された検出温度に基づいて、前記選択部が操作された後から前記照明部が照明を開始するまでの遅延時間、及び／又は、前記照明部が発光を開始してから終了するまでの発光時間を制御する照明制御部（８，Ｓ１１）と、を含み、前記選択部によって、前記複数の表示セグメントのうちの所定の選択セグメントから他の選択セグメントへの切替操作がなされた場合に、前記照明制御部は、前記遅延時間を、前記検出温度における前記他の選択セグメントが透過状態から拡散状態に切り替わるまでの時間よりも短く設定することを特徴とする液晶表示照明装置である。
【０００９】
請求項２の発明は、請求項１に記載の液晶表示照明装置において、前記選択部によって、前記複数の表示セグメントのうちの所定の選択セグメントから他の選択セグメントへの切替操作がなされた場合に、前記照明制御部は、前記遅延時間を、前記検出温度における前記所定の選択セグメントが前記拡散状態から前記透過状態に切り替わるまでの時間よりも長く設定することを特徴とする液晶表示照明装置である。
【００１０】
請求項３の発明は、請求項１又は２に記載の液晶表示照明装置において、前記測光素子は絶対温度比例電圧を検出し、前記温度検出部は、前記絶対温度比例電圧を用いた所定演算式によって前記検出温度を算出することを特徴とする液晶表示照明装置である。
【００１１】
請求項４の発明は、請求項１に記載の液晶表示照明装置において、前記照明制御部は、前記発光時間を、前記表示パネルの表示セグメントが前記透過状態から前記拡散状態に切り替わる時間の間又はそれより長い時間に、設定したこと、を特徴とする液晶表示照明装置である。
【００１３】
請求項５の発明は、請求項１に記載の液晶表示照明装置において、前記照明部は、光を発生する光源（３０）と、前記光源からの光を前記表示パネルに導く光ガイド部（４０）と、を備えたことを特徴とする液晶表示照明装置である。
請求項６の発明は、請求項１から５のうちの何れか一項に記載の液晶表示照明装置を備え、前記液晶表示照明装置を、ファインダー装置の表示に使用することを特徴とするカメラである。
【００１４】
【発明の実施の形態】
以下、図面などを参照しながら、本発明の実施の形態をあげて、さらに詳しく説明する。
図１は、本発明の実施形態による液晶表示照明装置を組み込んだ一眼レフカメラの構造を概念的に説明する図である。図２は、本実施形態による液晶表示照明装置の制御系統を示すブロック図である。
このカメラ１は、図１に示すように、被写体の像をフィルム上に結像させる撮影レンズ２と、撮影レンズ２からの光路を切り換える光跳ね上げ式の反射ミラー３と、フィルムに共役な面に配置されるスクリーン４と、このスクリーン４に近接して配置される高分子分散型液晶の表示パネル１０と、スクリーン４及び表示パネル１０を透過した光を観察のために曲げるペンタプリズム５と、スクリーン４上に投影された像を観察する接眼レンズ６等とを備えている。ここで、表示パネル１０は、ホルダ２０により保持されてカメラに固定されている。
【００１５】
また、このカメラ１は、表示装置として、表示パネル１０のほかに、ＬＥＤ等からなる光源３０と、光源３０からの光を表示パネル１０の端面１０ａに導く光ガイド装置４０と、表示パネル１０を駆動する駆動回路７と、ＣＰＵ８と、測光素子９と、表示パネル１０のセグメントを選択するためのセレクタ５０等とを備えている。
【００１６】
光源３０は、図２に示すように、ＬＥＤ３１と、このＬＥＤ３１を駆動するための駆動回路３２から構成される。光源３０のＬＥＤ３１の光を、光ガイド装置４０により表示パネル１０の端面１０ａへ導く。
【００１７】
ＣＰＵ８は、図示を省略するＡＥ装置やＡＦ装置等からの信号に基づいて、カメラの動作を統括的に制御する中央処理装置であり、この実施形態では、さらに、セレクタ５０からの信号に基づいて、駆動回路７を介して、表示パネル１０の表示状態を制御する。
【００１８】
測光素子９は、ＩＣによって構成されており、被写体の輝度を検出する光電変換素子であるとともに、絶対温度に比例する電圧を出力する素子である。
つまり、この測光素子９は、撮影レンズ２を透過して反射ミラー３で跳ね上げられて、フィルムと共役な面に配置されたスクリーン４によって拡散された光を測光し、その輝度信号をＣＰＵ８へ出力する。なお、この実施形態では、測光素子９は、表示パネル１０又はその近傍の明るさも測光していることになる。
【００１９】
また、測光素子９は、絶対温度比例温度Ｖｒｅｆを検出して、ＣＰＵ８へ出力する。絶対温度比例電圧をＶｒｅｆとしたときに、２５℃におけるこの電圧を、基準電圧Ｖ０として、カメラに記憶しておくと、所定温度θ（℃）は、絶対温度比例電圧Ｖｒｅｆを検出することにより、次の式（１）によって算出することができる。
θ＝（Ｖｒｅｆ／Ｖ０）×２９８−２７３    …（１）
すなわち、電圧Ｖｒｅｆを検出することによって、温度θ（℃）を算出することができる。
【００２０】
図３，図４は、本実施形態による液晶表示照明装置の表示パネル１０を示す図である。
表示パネル１０は、前述したように、高分子分散型液晶から構成されており、例えば、図３に示すように、セグメント１０１から１０５の５つのセグメントを備え、セレクタ５０により、このセグメント１０１〜１０５の１つが選択される。図４は、セレクタ５０により、セグメント１０１が選択された状態を示したものである。
【００２１】
この表示パネル１０は、駆動回路７により駆動される。駆動回路７は、ＣＰＵ８からの駆動を更新するための信号を受信すると、拡散状態のセグメントを透過状態にするとともに、指定されたセグメントを透過状態から拡散状態へと切り替える更新処理を行う。
なお、駆動回路７は、カメラに最初に電池を投入されたときには、中央セグメント１０１を点灯するように構成されている。
【００２２】
図５は、本実施形態による液晶表示照明装置のセレクタ５０を示す図である。セレクタ５０は、例えば、４つのスイッチ５１〜５４から構成され、上下左右４方向に押し込まれたことを検出するＡＦエリアセレクタ５０１を使用することができる。
【００２３】
次に、図１のカメラ１の動作を説明する。撮影レンズ２によってスクリーン４に結像した像光は、表示パネル１０がスクリーン４に近接して配置されているので、表示パネル１０のバックグランド（背景領域）をそのまま通過する。また、表示パネル１０のバックグランド以外の部分（つまり、表示セグメント１０１から１０５の部分）のいずれかが拡散状態になったときは、この部分に入射する光は拡散され、全ての方向に拡散されることから、目の方向に進む光は、ごく一部となる。したがって、この部分の光量が下がって表示される部分がバックグランドに比べて暗くなる。つまり、この表示パネル１０によって、背景と表示パターンとが、光学的にスーパーインポーズされることになる。
【００２４】
また、スクリーン４に十分な光が到達しない場合には、光源３０を点灯して、表示パネル１０の端面１０ａから適当な光量の照明光を入射させることにより、暗い背景中に明るい表示パターンをスーパーインポーズして表示させることができる。この場合には、表示されるセグメント（セグメント１０１から１０５のいずれか）の部分で光が拡散されるので、照明光の一部が観測者の目の方向にも拡散されることになり、表示されるセグメントが明るく見える。
ただし、被写体の輝度が十分に明るい場合には、光源３０を点灯して照明光を表示パネル１０の端面１０ａから入射させても、照明光が被写体の輝度と比較して暗すぎるために、明るい表示パターンとはならずに、明るい背景に暗い表示パターンがスーパーインポーズされる。
【００２５】
次に、このようなスーパーインポーズ可能な液晶表示照明装置を用いて、高分子分散型液晶の応答遅れに対応したカメラの動作について説明する。
図５〜図７は、本実施形態による液晶表示照明装置のＣＰＵ８の動作を示すフローチャートである。カメラの電池が装填されると動作を開始し、Ｓ１が実行される。
【００２６】
Ｓ１では、パラメータＡに０を入れる。このパラメータＡは、選択されたセグメントを示すものであり、０が中央、１が右、２が左、３が上、４が下を示す。前述したように、カメラに電池を最初に装填したときには、駆動回路７は、中央セグメント１０１を拡散状態とするためにパラメータＡに０を入れる。
【００２７】
Ｓ２では、ＡＦエリアセレクタ５０１が上下左右のいずれの方向に押されたかを判定する。詳細は、図７を用いて説明する。
図７において、Ｓ２０１では、フラグＦに１を入れる。このフラグＦは、ＡＦエリアセレクタ５０１が上下左右のいずれの方向にも押されない場合に０が入れられ、ＡＦエリアセレクタ５０１が操作されたか否かを示すものである。
【００２８】
Ｓ２０２〜Ｓ２０８では、スイッチ５１が押された場合に、その前にどのセグメントが拡散状態であったかにより、次にどのセグメントを拡散状態にするかを決定する。
現状で中央、上、下のセグメントのいずれかが拡散状態の場合（Ａが０又は３又は４）には、右のセグメントが拡散状態になるように、Ａに１を入れる。現状で左のセグメントが拡散状態の場合（Ａ＝２）には、中央のセグメントが拡散状態になるように、Ａに０を入れる。現状で右のセグメントが拡散状態の場合（Ａ＝１）には、右セグメントの拡散状態を保持すればよいので、パラメータＡの値を変更しない。
【００２９】
Ｓ２０９〜Ｓ２１５では、上記と同様に、左側への変更処理を行なう。Ｓ２１６〜Ｓ２２２では、上記と同様に、上側への変更処理を行なう。Ｓ２２３〜Ｓ２２９では、上記と同様に、下側への変更処理を行なう。
【００３０】
Ｓ２３０では、スイッチ５１〜５４のいずれも押されず、ＡＦエリアセレクタ５０１が操作されない場合には、フラグＦに０を入れる。以上を終了すると、図６のＳ３へ戻る。
【００３１】
図６において、Ｓ３では、フラグＦの判定を行なう。Ｆ＝０の場合は、ＡＦエリアセレクタ５０１が操作されていないのでＳ２へ戻る。Ｆ＝１の場合は、ＡＦエリアセレクタ５０１が操作されたのでＳ４へ進む。
【００３２】
Ｓ４では、上述したＳ２によって選択されたセグメントを、表示パネル１０に拡散状態で表示するように駆動回路７に、更新信号を出力する。これを受けた駆動回路７は、表示パネル１０上の現在拡散状態のセグメントを、透過状態にするとともに、選択セグメントを拡散状態にする信号を出力する。
【００３３】
Ｓ５では、測光素子９の出力を受けてスクリーン４上の輝度を算出する。
Ｓ６では、スクリーン４上の輝度が所定値以下であるか否かを判定する。所定値より大であれば、光源３０のＬＥＤ３１を点灯しても被写体の明るさに比較して暗すぎるために、明るい表示パターンにはならないので、ＬＥＤ３１を点灯する処理をせずに、Ｓ２へ戻る。所定値以下であれば、光源３０のＬＥＤ３１を駆動回路３２により点灯して、表示パネル１０の端面１０ａから照明光を入射させて、暗い背景に明るい表示パターンをスーパーインポーズさせるために、Ｓ７以降の処理を行う。なお、このスクリーン４上の輝度（ＢＶ−ＡＶｏ）の所定値の一例として、アペックス値を用いると、２．５前後の値が好ましく、およそ１から４の間で良好となる。
【００３４】
Ｓ７では、計時に使用する時間パラメータｔを０にセットする。
Ｓ８では、計時を開始し、この時間をｔとする。
Ｓ９では、測光素子９から絶対温度比例電圧Ｖｒｅｆを検出する。
Ｓ１０では、Ｓ９によって検出した絶対温度比例電圧Ｖｒｅｆを用いて、前述した式（１）より、温度θ（℃）を算出する。
【００３５】
Ｓ１１では、Ｓ１０によって算出した温度θ（℃）により、ＬＥＤ３１の発光を開始するまで遅延時間ＴｄとＬＥＤ３１の発光時間Ｔｉを決定する。詳細は、図８を用いて説明する。
【００３６】
図８において、Ｓ３０１では、温度θが５℃より大か否かの判定をする。θ＞５℃のときには、Ｓ３０３へ進み、θ≦５℃のときＳ３０２へ進む。
Ｓ３０２では、温度θが−５℃より大か否かの判定をする。θ＞−５℃のときには、Ｓ３０４へ進み、θ≦−５℃のときには、Ｓ３０５へ進む。
【００３７】
Ｓ３０３では、遅延時間Ｔｄに５０ｍｓを入れ、発光時間Ｔｉに３００ｍｓを入れる。
Ｓ３０４では、遅延時間Ｔｄに１５０ｍｓを入れ、発光時間Ｔｉに３５０ｍｓを入れる。
Ｓ３０５では、遅延時間Ｔｄに６００ｍｓを入れ、発光時間Ｔｉに５００ｍｓを入れる。
【００３８】
すなわち、ここでは、温度θにより遅延時間Ｔｄと発光時間Ｔｉを下表のように決定する。
θ≦−５℃          −５℃＜θ≦５℃          ５℃＜θ
Ｔｄ＝６００ｍｓ    Ｔｄ＝１５０ｍｓ          Ｔｄ＝５０ｍｓ
Ｔｉ＝５００ｍｓ    Ｔｉ＝３５０ｍｓ          Ｔｉ＝３００ｍｓ
【００３９】
このように、遅延時間Ｔｄと発光時間Ｔｉを決定したのは、表示パネル１０のＡＦエリアセレクタ５０１の操作前に拡散状態であったセグメントが透過状態になる時間まで待ってから、光源３０のＬＥＤ３１を発光を開始し、また、ＡＦエリアセレクタ５０１により選択されたセグメントが透過状態から拡散状態に変化する間に発光を継続して、表示パネル１０のセグメント切り替えの遅れに対して違和感のない暗い背景中に明るい表示パターンを表示するという照明によるスーパーインポーズが達成されるようにするためである。
以上の処理を終了して、図６のＳ１２へリターンする。
【００４０】
図６において、Ｓ１２では、計時時間ｔがＳ１１によって決定された遅延時間Ｔｄ以上か否かの判定をする。未満であれば、Ｓ１２にとどまり、以上になるとＳ１３へ進む。
Ｓ１３では、光源３０の駆動回路３２により、ＬＥＤ３１の点灯を開始する。これにより表示パネル１０の点灯セグメント（図３のセグメント１０１〜１０５のいずれか）が明るく見える。
【００４１】
Ｓ１４では、計時時間ｔがＳ１１によって決定された遅延時間Ｔｄと発光時間Ｔｉの和以上か否かの判定をする。未満であれば、Ｓ１４にとどまり、以上になるとＳ１５へ進む。
【００４２】
Ｓ１５では、光源３０の駆動回路３２により、ＬＥＤ３１の点灯を終了する。以上Ｓ１２からＳ１５により、ＡＦエリアセレクタ５０１を操作してから、遅延時間Ｔｄ後から発光時間Ｔｉの間だけ、光源３０のＬＥＤ３１が発光して、表示パネル１０の拡散状態のセグメントを明るく照明する。
Ｓ１６では、Ｓ８によって開始した計時を終了して、Ｓ２へ戻る。
【００４３】
以上、詳しく説明したように、本実施形態では、温度を測光素子９の絶対温度比例電圧Ｖｒｅｆにより検出して、光源３０の発光開始タイミングである遅延時間Ｔｄと発光時間Ｔｉを決定するようにした。このとき、高分子分散型液晶の表示パネル１０のＡＦエリアセレクタ５０１の操作前に、拡散状態であったセグメントが透過状態に変化してから、光源３０のＬＥＤ３１の発光を開始するようにしたので、高分子分散型液晶の応答が低温になって応答が遅くなっても、２つのセグメントが同時に照明されるようなことがない。このため、違和感のない照明によるスーパーインポーズ表示が達成されている。
【００４４】
つまり、拡散状態から透過状態への変化のほうが、透過状態から拡散状態への変化よりも速く変化する高分子分散型液晶の温度応答性を考慮して、高分子分散型液晶を使用した表示装置の照明において、温度による液晶の応答遅れ、特に、拡散状態から透過状態への変化に対応して、照明の開始を遅延させるようにしたので、２つのセグメントを同時に照明するようなことがない。
【００４５】
また、ＡＦエリセレクタ５０１によって選択されたセグメントが透過状態から拡散状態に変化する途中で発光するようにもしたので、低温で液晶の応答がかなり遅くなっても、若干の遅れで光源が発光して、使用者に発光タイミングの遅れが気づきにくいようになっている。このため、より一層違和感のない照明のスーパーインポーズが達成されている。
【００４６】
つまり、低温域では高分子分散型液晶の表示装置の拡散状態から透過状態への変化が終了した後で、かつ、透過状態から拡散状態への変化の途中に照明を開始するようにしたので、特に、低温での高分子分散型液晶の応答の遅れよりも応答性の速い光源の照明を行うようにしたので、液晶の応答性が目立ちにくくなる違和感の少ない表示装置を提供することができた。
【００４７】
【発明の効果】
以上、詳しく説明したように、照明部の発光開始までの遅延時間、発光時間とを、液晶層の温度に依存させて変更するようにしたので、選択された表示セグメントを正しく照明することができる。
このとき、拡散状態から透過状態への変化に対応して照明の開始を遅延させるようにしたので、２つのセグメントを同時に照明するようなことがない。
また、透過状態から拡散状態への変化の途中に照明を開始するようにしたので、液晶層の応答性が目立ちにくくなり、違和感の少ない表示照明をすることができる。
【図面の簡単な説明】
【図１】本発明の実施形態による液晶表示照明装置を組み込んだ一眼レフカメラの構造を概念的に説明する図である。
【図２】本実施形態による液晶表示照明装置の制御系統を示すブロック図である。
【図３】本実施形態による液晶表示照明装置の表示パネル１０を示す図である。
【図４】本実施形態による液晶表示照明装置の表示パネル１０を示す図である。
【図５】本実施形態による液晶表示照明装置のセレクタ５０を示す図である。
【図６】本実施形態による液晶表示照明装置のＣＰＵ８の動作（メインルーチン）を示すフローチャートである。
【図７】本実施形態による液晶表示照明装置のＣＰＵ８の動作（選択エリア判定のサブルーチン）を示すフローチャートである。
【図８】本実施形態による液晶表示照明装置のＣＰＵ８の動作（遅延時間，発光時間決定のサブルーチン）を示すフローチャートである。
【符号の説明】
１  カメラ
２  撮影レンズ
３  反射ミラー
４  スクリーン
５  ペンタプリズム
６  接眼レンズ
７  駆動回路
８  ＣＰＵ
９  測光素子
１０  表示パネル
２０  ホルダ
３０  光源
４０  光ガイド装置
５０  セレクタ
【図１】
0004352550.tif 000002
【図２】
0004352550.tif 000003
【図３】
0004352550.tif 000004
【図４】
0004352550.tif 000005
【図５】
0004352550.tif 000006
【図６】
0004352550.tif 000007
【図７】
0004352550.tif 000008
【図８】
0004352550.tif 000009